(57)【要約】【課題】冬場に適した簡易で安価な衣類乾燥装置を提供すること。【解決手段】衣類を１０をハンガー９に掛けて収納できるケース体１と、温風を吹出しする温風源２と、該温風源２の吹出口２ａに入口側開口部３ａを向け、出口側開口部３ｂを前記ケース体１内に向けて配置した温風供給路３とを備え、前記温風源２の稼動により前記温風供給路３を介して温風を前記ケース体１の中に吹き込み、衣類１０を乾燥させる。ケース体１内で発生した蒸気はケース体１の上面の排気口７より外へ排出される。【選択図】図１
0003122028.tif 000002
【実用新案登録請求の範囲】
【請求項１】
衣類を収納可能なケース体と、温風を吹出しする温風源と、該温風源の吹出口に入口側開口部を向け、出口側開口部を前記ケース体内に向けて配置した温風供給路とを備え、前記温風源の稼動により前記温風供給路を介して温風を前記ケース体に吹き込み、衣類を乾燥させる衣類乾燥装置。
【請求項２】
前記ケース体は、樹脂製または布製のシート材によりボックス状に形成され、少なくとも一側面が開閉自在に構成されている請求項１に記載の衣類乾燥装置。
【請求項３】
前記ケース体の上面に排気口が形成されている請求項１または請求項２に記載の衣類乾燥装置。
【請求項４】
前記シート材は、ビニールハウス、布製クローゼットまたは布製衣服カバーのいずれかを使用するものである請求項２または請求項３に記載の衣類乾燥装置。
【請求項５】
前記ケース体は、前記シート材を支持する剛性のフレーム部材を有する請求項２〜４のいずれか一項に記載の衣類乾燥装置。
【請求項６】
前記温風供給路の出口側開口部を前記ケース体内の底部に配置する請求項１〜５のいずれか一項に記載の衣類乾燥装置。
【請求項７】
前記ケース体に底板を設け、前記底板に形成した孔に前記温風供給路を通して前記ケース体内に引き込む請求項６に記載の衣類乾燥装置。
【請求項８】
前記温風源は、石油またはガスのファンヒータにより構成されている請求項１〜７のいずれか一項に記載の衣類乾燥装置。
【請求項９】
前記温風供給路は、ダクトまたはホースである請求項１〜８のいずれか一項に記載の衣類乾燥装置。
【請求項１０】
前記温風供給路の入口側開口部に、前記温風源に対向する漏斗状の温風導入部材を着脱自在に取り付ける請求項１〜９のいずれか一項に記載の衣類乾燥装置。
【請求項１１】
前記ケース体の中に、衣類を掛けるハンガーを着脱可能に支持するためのハンガー支持部を備える請求項１〜１０のいずれか一項に記載の衣類乾燥装置。
【請求項１２】
前記ハンガー支持部は、略水平に架設された１本または複数本の棒体からなる請求項１１に記載の衣類乾燥装置。
【考案の詳細な説明】
【技術分野】
【０００１】
本考案は、温風を利用した衣類乾燥装置に関する。
【背景技術】
【０００２】
従来、衣類乾燥装置としては、電気洗濯機に設けられている回転ドラム型のもの、特殊な筺体に衣類を収納し、ヒートポンプで温風を供給するものなど種々のものが実施または開示されている。
【考案の開示】
【考案が解決しようとする課題】
【０００３】
しかしながら、従来の衣類乾燥装置は、それ専用に製造されたもので、構造が複雑で高価にならざるを得なかった。
【０００４】
本考案は、上記の課題を解決するものであり、その目的は、既存の機器を利用でき、簡単かつ安価な衣類乾燥装置を提供することにある。
【課題を解決するための手段】
【０００５】
上記の目的を達成するため、本考案は、衣類を収納可能のケース体と、温風を吹出しする温風源と、該温風源の吹出口に入口側開口部を向け、出口側開口部を前記ケース体内に向けて配置した温風供給路とを備え、前記温風源の稼動により前記温風供給路を介して温風を前記ケース体に吹き込み、衣類を乾燥させる構成とした。
【０００６】
上記の構成においては、温風源で生成された温風が温風供給路を通って遠隔のケース体の中に導入され、ケース体内に収容されている衣類が温風に晒されることで乾燥が早められる。乾燥効果を高めるために、温風供給路の出口側開口部をケース体内の底部に設け、ケース体の上面に排気口を形成するのが好ましい。また、ケース体に底板を設けて、この底板に形成した孔に温風供給路を通してケース体内に引き込む構成も好ましい。
【０００７】
本考案の好適な一態様によれば、ケース体は、樹脂製または布製のシート材によりボックス状に形成され、少なくとも一側面が開閉自在に構成され、たとえばスチールまたはアルミニウムからなる剛性のフレーム部材でシート材を支持する。これにより、軽量・安価・頑丈で使い勝手のよい衣類乾燥室が得られる。
【０００８】
本考案の好適な一態様によれば、ケース体は、ビニールハウス、布製クローゼットまたは布製衣服カバーのいずれかを使用する。これにより、既存のケーシングまたはハウジングを利用することができる。
【０００９】
本考案の好適な一態様によれば、温風源が石油またはガスのファンヒータにより構成されているので、既存の暖房器具を利用することができる。
【００１０】
本考案の好適な一態様によれば、温風供給路は、ダクトまたはホースを利用することにより、既存のものを利用することができる。もっとも、たとえばアルミニウム製の専用ダクトを好適に用いることができる。
【００１１】
本考案の好適な一態様によれば、温風供給路の入口側開口部に、温風源に対向する漏斗状の温風導入部材を着脱自在に取り付けることにより、温風導入量を増加させて乾燥時間を早めることができる。
【００１２】
本考案の好適な一態様によれば、ケース体の中に、衣類をハンガーに掛けた状態で支持するためのハンガー支持部が備え付けられる。このハンガー支持部は、好ましくは、略水平に架設された１本または複数本の棒体で構成される。このように、衣類がハンガーに掛けられた状態で温風に晒されるため乾燥効率が高いうえ、衣類の保管や出し入れにも便利である。
【考案の効果】
【００１３】
考案によれば、冬場などの乾きにくい季節、時期においても、すばやく乾燥させることができるとともに、ケース体、温風源および温風供給路に既存のものを利用することができるため、構成が簡単で安価な衣類乾燥装置が得られる。
【考案を実施するための最良の形態】
【００１４】
以下、図面を参照して本考案の好適な実施形態を説明する。
【００１５】
図１は本考案の実施形態における衣類乾燥装置を示す斜視図であり、図２はその縦断側面図である。
【００１６】
図１および図２に示すように、この衣類乾燥装置Ａは、衣類を収納するケース体１と、温風を発生する温風源２と、温風源２からケース体１に温風を導入する温風供給路３とを備えている。
【００１７】
ケース体１は、例えばビニール、不織布などのシート材１ａからなる縦長ボックスとして構成され、各辺を構成するスチールまたはアルミニウムからなるフレーム部材４によりシート材１ａが支持されている。ケース体１の前面にはチャック５が設けられ、ここから前面を開放して、衣類１０やハンガー９等を出し入れするようになっている。
【００１８】
ケース体１の底部にはたとえばアルミニウム製の底板６が設けられており、ケース体１の上面または屋根には１つまたは複数の排気口７が設けられている。
【００１９】
温風源２は、通常の石油ファンヒータまたはガスファンヒータを用いることができる。この温風源２の温風吹出口２aに温風供給路３の入口側開口部３ａを配置している。そして、温風供給路３を床面１１に這わせ、その出口側端部３ｂを底板６の孔に通してケース体１内に引き込んでいる。なお、温風供給路３の出口側端部３ｂは、後述するダクト（またはホース）の先端に着脱可能に結合される肘形管（Ｌ形管）で構成するのが好ましい。
【００２０】
ケース体１の内部には、１本または複数本（図示の例は上下２段で合計４本）のハンガー支持棒（ハンガー掛け）８が水平に架設されている。各ハンガー支持棒８はたとえばスチールからなり、その両端がフレーム部材４に直接または間接に（図示しない梁部材を介して）固定されている。乾燥させるべき衣類１０を掛けたハンガー９をハンガー支持棒８に並べて着脱自在に引っ掛けられるようになっている。
【００２１】
温風源２を稼動させると、その温風吹出口２ａから温風が吹き出され、この温風の一部が温風供給路３の入口側開口部３ａに吹き込まれ、温風供給路３を通ってケース体１内の底部に導入される。ケース体１内の底部に導入された温風は、矢印１２で示すように上昇気流となる。こうしてケース体１内でハンガー９に掛けられている各衣類１０が下から上昇してくる温風に晒されることで、各衣類１０から水分が蒸発し、蒸気が発生する。こうしてケース体１内で発生した蒸気１３は排気口７から速やかに外へ排出される。
【００２２】
ケース体１は通常は屋内に設置してよいが、屋外に設置することも可能である。屋外に設置する場合は、排気口７に雨避けを取り付けてよい。
【００２３】
ケース体１は、ビニールハウス、布製のクローゼットやロッカー、布製外カバー等など、内部に空間または室を形成できる任意の既存のケーシングまたはハウジングを使用できる。もっとも、本装置専用のケーシングとしてケース体１を作成することも可能である。
【００２４】
温風源２は、既存の石油またはガスのファンヒータを使用できる。もっとも、本装置専用の電気式温風機を製作することも可能である。
【００２５】
温風供給路３は、できるだけ口径が大きい（１０ｃｍ前後かそれ以上が好ましい）既存のダクト、ホースを使用できるが、たとえばアルミニウムからなる本装置専用のダクトを作製してもよい。ダクトを使用すると、入口側開口部３ａを広く取れるので、温風導入量を多くすることができる。
【００２６】
図３に、温風供給路３の一変形例を示す。この構成例は、温風供給路３の入口側開口部３ａに漏斗状の温風導入部材１６を着脱自在に装着している。温風導入部材１６を装着することにより、入口側開口部３ａを広くし、温風導入量を増加させて乾燥時間を早めることができる。
【００２７】
また、図示していないが、温風供給路３を伸縮自在のダクトまたはパイプで構成することにより、ケース体１と温風源２の距離が決まっている場合でも、それに対処することができる。なお、温風供給路３を可撓性のホースで構成する場合はホースの湾曲により、入口側開口部３ａと出口側開口部３ｂ間の寸法を変えることができる。
【００２８】
以上のように、本実施形態に係わる衣類乾燥装置は、ケース体１に収納した衣類１０を温風により乾燥させるようにしたので、冬場などの乾きにくい時期においても、すばやく乾燥させることができるとともに、ケース体１、温風源２および温風供給路３に既存のものを利用することができるため、構成が簡単で安価に衣類乾燥装置が得られる。
【図面の簡単な説明】
【００２９】
【図１】本実施形態に係わる衣類乾燥装置の斜視図である。
【図２】本実施形態に係わる衣類乾燥装置の縦断側面図である。
【図３】温風導入部材の断面図である。
【符号の説明】
【００３０】
１    ケース体
１ａ    シート材
２    温風源
３    温風供給路
３ａ    入口側開口部
３ｂ    出口側開口部
４    フレーム部材
５    チャック
６    底板
７    排気口
８    ハンガー支持棒
９    ハンガー
１０    衣類
１６    温風導入部材
【図１】
0003122028.tif 000003
【図２】
0003122028.tif 000004
【図３】
0003122028.tif 000005